(57)【要約】【課題】本発明は、ドラムの音量や音質が向上するドラムの支持装置、及びドラムを提供することにある。【解決手段】タム支持装置１０は、ブラケット２０と、上側フープ４を支持する複数の第１支持部４０を有する第１アーム３０と、及び下側フープ５を支持する第２支持部５２を有する第２アーム５０とを備えている。複数の第１支持部４０のうち第１アーム３０の各端部に設けられる第１支持部４０は、シェル１の軸線Ｃ１及び第２アーム５０の軸線Ｃ２を含む垂直面ＨＳに直交する打面ヘッド２の直径ＤＭと上側フープ４とが交差する２つの交点Ｐ，Ｑ付近のそれぞれに配置されている。【選択図】図１
2014025977.tif 000002
【特許請求の範囲】
【請求項１】
ドラムが設置される設置物にドラムを支持するためのドラムの支持装置であって、前記ドラムは、シェルと、前記シェルの両開口端を塞ぐ第１及び第２ドラムヘッドと、前記シェルの第１開口端に第１ドラムヘッドと共に装着される第１フープと、前記シェルの第２開口端に第２ドラムヘッドと共に装着される第２フープとを備えるドラムの支持装置において、
前記設置物に接続されるブラケットと、
前記ブラケットの第１端部に設けられ、前記シェルの円周方向に延びると共に前記第１フープを支持する複数の第１支持部を有する第１アームと、
前記ブラケットの第２端部に設けられ、前記シェルの軸線方向に延びると共に前記第２フープを支持する第２支持部を有する第２アームとを備え、
前記複数の第１支持部のうち前記第１アームの各端部に設けられる第１支持部は、前記シェルの軸線及び前記第１アームの長手方向の中点を含む面に直交する前記第１ドラムヘッドの直径と前記第１フープとが交差する２つの交点付近のそれぞれに配置されていることを特徴とするドラムの支持装置。
【請求項２】
請求項１記載のドラムの支持装置において、
前記第１アームの各端部に設けられる第１支持部は、前記シェルの軸線及び前記第２アームの軸線を含む面に直交する前記第１ドラムヘッドの直径と前記第１フープとが交差する２つの交点付近のそれぞれに配置されていることを特徴とするドラムの支持装置。
【請求項３】
請求項１又は２記載のドラムの支持装置において、
前記第１アームの各端部に設けられる一対の第１支持部は、前記シェルの軸線に対し対称となる位置に配置されていることを特徴とするドラムの支持装置。
【請求項４】
請求項１〜３のうちいずれか一項に記載のドラムの支持装置において、
前記第１支持部は、前記第１フープとの間に第１防振材料を介在させた状態で前記第１フープを支持し、前記第２支持部は、前記第２フープとの間に第２防振材料を介在させた状態で前記第２フープを支持することを特徴とするドラムの支持装置。
【請求項５】
請求項１〜４のうちいずれか一項に記載のドラムの支持装置において、
前記第１ドラムヘッドは、演奏者により叩打される打面ヘッドであり、
前記第１フープは、前記シェルの上開口端に前記打面ヘッドと共に装着される上側フープであることを特徴とするドラムの支持装置。
【請求項６】
請求項５記載のドラムの支持装置において、
前記第１支持部の先端を前記第１フープに係合させて前記第１フープを支持し、前記第２支持部の先端を前記第２フープに当接させて前記第２フープを支持することを特徴とするドラムの支持装置。
【請求項７】
請求項５又は６記載のドラムの支持装置において、
前記第２アームは、前記シェルの軸線方向に沿った前記第２支持部の高さ位置を調節可能に構成されていることを特徴とするドラムの支持装置。
【請求項８】
請求項５〜７のうちいずれか一項に記載のドラムの支持装置において、
前記第２支持部は、前記シェルの軸線に向けて突出すると共に、前記第２アームの軸線と直交する前後方向に沿って進退可能であることを特徴とするドラムの支持装置。
【請求項９】
請求項５〜８のうちいずれか一項に記載のドラムの支持装置において、
前記第１アームには、前記第１フープと前記第１アームとの接触を規制する規制部材が設けられていることを特徴とするドラムの支持装置。
【請求項１０】
シェルと、前記シェルの両開口端を塞ぐ第１及び第２ドラムヘッドと、前記シェルの第１開口端に第１ドラムヘッドと共に装着される第１フープと、前記シェルの第２開口端に第２ドラムヘッドと共に装着される第２フープとを備えるドラムにおいて、
前記ドラムが設置される設置物に接続されるブラケットと、
前記ブラケットの第１端部に設けられ、前記シェルの円周方向に延びると共に前記第１フープを支持する複数の第１支持部を有する第１アームと、
前記ブラケットの第２端部に設けられ、前記シェルの軸線方向に延びると共に前記第２フープを支持する第２支持部を有する第２アームとを備え、
前記複数の第１支持部のうち前記第１アームの各端部に設けられる第１支持部は、前記シェルの軸線及び前記第１アームの長手方向の中点を含む面に直交する前記第１ドラムヘッドの直径と前記第１フープとが交差する２つの交点付近のそれぞれに配置されていることを特徴とするドラム。
【発明の詳細な説明】
【技術分野】
【０００１】
本発明は、タム等のドラムをバスドラムやスタンド等に支持するためのドラムの支持装置、及びドラムに関する。
【背景技術】
【０００２】
ドラムセットでは、バスドラムの上方に、１又は複数のタムが設置されている。タムの設置には、バスドラム又はシンバルスタンドに取り付けられたホルダーや、専用のタムスタンド等が用いられる。例えば、特許文献１〜３には、タム設置用のホルダーやタムスタンドに適用されるドラムの支持装置が開示されている。
【０００３】
特許文献１に開示されるドラムの支持装置によれば、ブラケットの上端に、複数のクランプ部材が取り付けられている。また、ブラケットの下端には、一つの支持突起が取り付けられている。この構成によれば、複数のクランプ部材とブラケットとの間にドラムの上側フープを挟み込んで、各クランプ部材のボルトをそれぞれ締め付ける。これにより、複数のクランプ部材が上側フープを支持し、かつ支持突起がシェルの表面に突き当てられる。この状態で、ドラムが、ブラケットに装着されて、ホルダーやタムスタンド等に取り付けられる。
【０００４】
特許文献２に開示されるドラムの支持装置によれば、ブラケットの上端には、上側フープに沿って延びる半円弧状のアームが固定されている。アームの中央と両端とには、アーム側取付部がそれぞれ一つずつ設けられている。一方、ドラムの上側フープにも、アーム側取付部と対応する各位置にフープ側取付部が設けられている。この構成によれば、アームを上側フープの下縁に沿って配置し、３つのアーム側取付部を、対応するアーム側取付部にそれぞれネジで固定する。これにより、アームの中央と両端とが上側フープに固定されて、ドラムがブラケットに装着される。
【０００５】
また、特許文献３に開示されるドラムの支持装置によれば、上側フープには一対のフープ側取付部が、下側フープには一つのフープ側取付部がそれぞれ取り付けられている。この構成によれば、ブラケットの上端の２箇所を一対のフープ側取付部に、ブラケットの下端の１箇所をフープ側取付部にそれぞれネジで固定する。これにより、ブラケットの上端及び下端が上側フープ及び下側フープにそれぞれ固定されて、ドラムがブラケットに装着される。
【先行技術文献】
【特許文献】
【０００６】
【特許文献１】米国特許第５５４４５６１号明細書
【特許文献２】米国特許第５４５４２８８号明細書
【特許文献３】特開平５−１２７６６９号公報
【発明の概要】
【０００７】
しかしながら、特許文献１に開示されるドラムの支持装置によれば、支持突起をドラムのシェルの表面に突き当ててドラムを支持するため、ドラムを叩打したときに、シェルの振動が支持突起により妨げられてしまう。このため、シェルの振動を最大限に引き出すことができず、ドラム本来のサスティーンや音量を十分に得ることができない。
【０００８】
また、特許文献２に開示されるドラムの支持装置によれば、アームが上側フープに固定されるため、シェルの振動がアームにより妨げられることはない。しかしながら、アームが上側フープにのみ固定されるため、上側フープにドラムの自重が集中し易くなっている。このため、ドラムを叩打したときの衝撃により上側フープに歪みが生じる虞があり、フープの歪みがドラムの音量や音質に影響を及ぼす虞がある。
【０００９】
一方、特許文献３に開示されるドラムの装着システムによれば、ブラケットが上側フープ及び下側フープの両方に固定されるため、上側フープと下側フープとにドラムの自重を分散させることはできる。しかしながら、上側フープに取り付けられる一対のフープ側取付部が接近して配置されているため、上側フープのフープ側取付部付近には、依然として、ドラムの自重が集中し易くなっている。このため、ドラムを叩打したときの衝撃による上側フープの歪みを完全には解消することができず、フープの歪みがドラムの音量や音質に影響を及ぼす虞がある。
【発明が解決しようとする課題】
【００１０】
本発明の目的は、ドラムの音量や音質が向上するドラムの支持装置、及びドラムを提供することにある。
【課題を解決するための手段】
【００１１】
上記の目的を達成するために、請求項１に記載の発明は、ドラムが設置される設置物にドラムを支持するためのドラムの支持装置であって、ドラムは、シェルと、シェルの両開口端を塞ぐ第１及び第２ドラムヘッドと、シェルの第１開口端に第１ドラムヘッドと共に装着される第１フープと、シェルの第２開口端に第２ドラムヘッドと共に装着される第２フープとを備えるドラムの支持装置において、設置物に接続されるブラケットと、ブラケットの第１端部に設けられ、シェルの円周方向に延びると共に第１フープを支持する複数の第１支持部を有する第１アームと、ブラケットの第２端部に設けられ、シェルの軸線方向に延びると共に第２フープを支持する第２支持部を有する第２アームとを備え、複数の第１支持部のうち第１アームの各端部に設けられる第１支持部は、シェルの軸線及び第１アームの長手方向の中点を含む面に直交する第１ドラムヘッドの直径と第１フープとが交差する２つの交点付近のそれぞれに配置されていることを要旨とする。
【００１２】
この構成によれば、第１アームの複数の第１支持部が第１フープを支持すると共に第２アームの第２支持部が第２フープを支持するため、第１及び第２支持部等によりシェルの振動が妨げられることはない。よって、シェルの振動を最大限に引き出すことができ、ドラム本来のサスティーンや音量を十分に得ることができる。また、第１アームの各端部に設けられる第１支持部が第１ドラムヘッドの直径と第１フープとが交差する２つの交点付近のそれぞれに配置されている。即ち、第１アームの各端部に設けられる一対の第１支持部が離れて配置されるため、第１フープの一箇所にドラムの自重が集中することはない。よって、ドラムを叩打したときの衝撃等によるフープの歪みを抑制することができ、フープの歪みによるドラムの音量や音質への影響を極力抑制することもできる。従って、ドラムの音量や音質が向上する。
【００１３】
請求項２に記載の発明は、請求項１記載の発明において、第１アームの各端部に設けられる第１支持部は、シェルの軸線及び第２アームの軸線を含む面に直交する第１ドラムヘッドの直径と第１フープとが交差する２つの交点付近のそれぞれに配置されていることを要旨とする。
【００１４】
この構成によれば、第１アームの各端部に設けられる一対の第１支持部を、シェルの軸線及び第２アームの軸線を含む面に直交する第１ドラムヘッドの直径と第１フープとが交差する２つの交点付近のそれぞれに配置する。これにより、第１アームの各端部に設けられる一対の第１支持部を極力離れた位置に配置することができる。
【００１５】
請求項３に記載の発明は、請求項１又は２記載の発明において、第１アームの各端部に設けられる一対の第１支持部は、シェルの軸線に対し対称となる位置に配置されていることを要旨とする。
【００１６】
この構成によれば、第１アームの各端部に設けられる一対の第１支持部を最大限離れた位置に配置することができる。これにより、第１フープに作用するドラムの自重を、効率良く分散させることができる。よって、ドラムを叩打したときの衝撃等によるフープの歪みが一層抑制されるため、フープの歪みによるドラムの音量や音質への影響を一層抑制することができる。
【００１７】
請求項４に記載の発明は、請求項１〜３のうちいずれか一項に記載の発明において、第１支持部は、第１フープとの間に第１防振材料を介在させた状態で第１フープを支持し、第２支持部は、第２フープとの間に第２防振材料を介在させた状態で第２フープを支持することを要旨とする。
【００１８】
この構成によれば、第１及び第２防振材料により、ドラムを叩打したときの衝撃による振動を吸収することができる。このため、ドラムの振動が第１及び第２フープ及びブラケットを介して設置物に伝達されることを抑制できる。
【００１９】
請求項５に記載の発明は、請求項１〜４のうちいずれか一項に記載の発明において、第１ドラムヘッドは、演奏者により叩打される打面ヘッドであり、第１フープは、シェルの上開口端に打面ヘッドと共に装着される上側フープであることを要旨とする。
【００２０】
この構成によれば、シェルに打面ヘッドと共に装着される上側フープを、第１アームの各端部に設けられる一対の第１支持部により、互いに離れた位置で支持することができる。よって、ドラムの自重に加えドラムを叩打したときの衝撃等が加えられる上側フープの歪みを抑制することができる。
【００２１】
請求項６に記載の発明は、請求項５記載の発明において、第１支持部の先端を第１フープに係合させて第１フープを支持し、第２支持部の先端を第２フープに当接させて第２フープを支持することを要旨とする。
【００２２】
ドラムは、シェルの側方でブラケットを介して設置物に接続される。この場合、ドラムには、シェルの上開口端をブラケットから離間させる向きにかつシェルの下開口端をブラケットへ接近させる向きに回動する力が作用している。この点、本発明によれば、上記の力関係を利用した構成であり、シェルの上開口端に装着される第１フープには第１支持部を係合させるものの、シェルの下開口端に装着される第２フープには第２支持部を当接させるだけである。これにより、ドラムの支持装置を簡素化することができる。
【００２３】
請求項７に記載の発明は、請求項５又は６記載の発明において、第２アームは、シェルの軸線方向に沿った第２支持部の高さ位置を調節可能に構成されていることを要旨とする。
【００２４】
この構成によれば、ドラムのシェルの深さ寸法に合わせて、シェルの軸線方向に沿った第２支持部の高さ位置を調節することができる。これにより、種々の大きさのドラムに対して対応することができる。
【００２５】
請求項８に記載の発明は、請求項５〜７のうちいずれか一項に記載の発明において、第２支持部は、シェルの軸線に向けて突出すると共に、第２アームの軸線と直交する前後方向に沿って進退可能であることを要旨とする。
【００２６】
この構成によれば、シェルの軸線に向けて突出する第２支持部の突出量を調節することで、第２アームの軸線に対するドラムの傾きを調整して、第１フープと第１アームとの間に介装される第１防振部材の潰れを抑えることができる。これにより、第１防振部材の潰れによるドラムの音量や音質への影響を抑制することができる。また、この場合、第１防振部材の潰れが抑えられるため、第１防振部材に低硬度の材料を使用することもできる。このため、第１防振部材の防振機能が向上する。
【００２７】
請求項９に記載の発明は、請求項５〜８のうちいずれか一項に記載の発明において、第１アームには、第１フープと第１アームとの接触を規制する規制部材が設けられていることを要旨とする。
【００２８】
この構成によれば、演奏時にドラムが揺れたり、設置物からドラムを外したりするとき、第１フープと第１アームとが接触する虞がある。この点、本発明によれば、第１アームに設けられた規制部材により、第１アームと第１フープとが接触して音が発生したり、傷が付いたりすることを防止できる。また、規制部材を有することで、更に低硬度の材料を第１防振部材に使用することもできる。このため、第１防振部材の防振機能が更に向上する。
【００２９】
請求項１０に記載の発明は、シェルと、シェルの両開口端を塞ぐ第１及び第２ドラムヘッドと、シェルの第１開口端に第１ドラムヘッドと共に装着される第１フープと、シェルの第２開口端に第２ドラムヘッドと共に装着される第２フープとを備えるドラムにおいて、ドラムが設置される設置物に接続されるブラケットと、ブラケットの第１端部に設けられ、シェルの円周方向に延びると共に第１フープを支持する複数の第１支持部を有する第１アームと、ブラケットの第２端部に設けられ、シェルの軸線方向に延びると共に第２フープを支持する第２支持部を有する第２アームとを備え、複数の第１支持部のうち第１アームの各端部に設けられる第１支持部は、シェルの軸線及び第１アームの長手方向の中点を含む面に直交する第１ドラムヘッドの直径と第１フープとが交差する２つの交点付近のそれぞれに配置されていることを要旨とする。
【００３０】
この構成によれば、請求項１記載の発明と同等の作用効果を奏することができる。
【発明の効果】
【００３１】
本発明によれば、ドラムの音量や音質が向上する。
【図面の簡単な説明】
【００３２】
【図１】本発明のタム支持装置が装着されたタムの斜視図。
【図２】タム支持装置の斜視図。
【図３】タム支持装置の分解斜視図。
【図４】図１の４−４線に沿った部分断面図。
【図５】図１の５−５線に沿った部分断面図。
【図６】（ａ）は突出部をサポートアームの下端付近に配置した状態を示す部分断面図、（ｂ）は突出部を突出させた状態を示す部分断面図。
【図７】（ａ）は別例のナットを取付具に装着する直前の状態を示す部分断面図、（ｂ）は別例のナットを取付具に装着する途中の状態を示す部分断面図、（ｃ）は別例のナットを取付具に装着した状態を示す部分断面図。
【発明を実施するための形態】
【００３３】
以下、本発明に係るドラムの支持装置をタム支持装置に具体化した一実施形態について、図１〜図６（ｂ）を参照して説明する。
図１に示すように、タムＴＭは、円筒状のシェル１と、シェル１の上開口端を塞ぐ第１ドラムヘッドとして打面ヘッド２と、シェル１の下開口端を塞ぐ第２ドラムヘッドとしての裏面ヘッド３と、第１フープとしての上側フープ４と、第２フープとしての下側フープ５とを備えている。上側フープ４は、シェル１の上開口端に対し、打面ヘッド２と共に装着される。下側フープ５は、シェル１の下開口端に対し、裏面ヘッド３と共に装着される。本実施形態において、シェル１の上開口端が第１開口端であり、シェル１の下開口端が第２開口端である。
【００３４】
タムＴＭには、タム支持装置１０が装着されている。タム支持装置１０は、上側フープ４の２箇所と下側フープ５の１箇所とを支持するよう略Ｔ字状に構成されている。タムＴＭが設置される設置物としてのバスドラム（図示略）には、タムホルダＴＨが固定されている。タムホルダＴＨは、Ｌ字ロッドＬＲを有している。タムＴＭは、タム支持装置１０をＬ字ロッドＬＲに固定することによって、バスドラムの上方に設置される。
【００３５】
図１及び図２に示すように、タム支持装置１０は、ブラケット２０と、シェル１の円周方向に沿って延びる第１アーム３０と、シェル１の軸線Ｃ１に沿って延びる第２アーム５０とを備えている。第１アーム３０は、ブラケット２０の第１端部としての上端部に設けられている。第２アーム５０は、ブラケット２０の第２端部としての下端部に設けられている。ブラケット２０は、Ｌ字ロッドＬＲの先端部に接続される。
【００３６】
図３及び図４に示すように、ブラケット２０は、略箱状の上側本体部２６と、上側本体部２６から下方に延びる下側本体部２７とを備えている。上側本体部２６には、Ｌ字ロッドＬＲが挿通される挿通孔２６ａが形成されている。上側本体部２６の上端には、第１アーム３０に取り付けられる一対の取付部２８が形成されている。
【００３７】
下側本体部２７の下端部には、ボルト２５を側方から挿入するための横孔が形成されている。下側本体部２７内には、第２アーム５０を摺動可能に支持するための支持孔２７ａが形成されている。また、下側本体部２７内には、ボルト２５に螺着される図示しないブッシュナット、及び押え板２９が収納されている。
【００３８】
次に、第１アーム３０の構成について図３〜図５を参照して説明する。
図３及び図４に示すように、第１アーム３０は、シェル１と同径の円弧状に形成されている。第１アーム３０は、ブラケット２０が固定される中央部３１と、中央部３１から図３に示す右方向に延びる右アーム部３０Ｒと、中央部３１から図３に示す左方向に延びる左アーム部３０Ｌとにより構成されている。中央部３１は、ブラケット２０の取付部２８と対応する位置に一対の取付孔３１ａを有している。第１アーム３０は、一組のボルト３２及びナット３３により、ブラケット２０の取付部２８に取り付けられている。第１アーム３０の中央部３１とブラケット２０との間には、板状の防振ゴム３４が介装されている。防振ゴム３４には、ボルト３２が貫通する一対の貫通孔３４ａが形成されている。
【００３９】
中央部３１には、上側フープ４と第１アーム３０との接触を規制する規制部材３５が設けられている。規制部材３５は、円柱状のガイドゴム３６と、ガイドゴム３６にインサート成形された取付ネジ３７とにより構成されている。規制部材３５は、取付ネジ３７にナット３８を締め付けることにより、中央部３１に固定されている。この状態で、規制部材３５は、ガイドゴム３６と上側フープ４との間に隙間を空けて配置されている。
【００４０】
図１及び図３に示すように、右アーム部３０Ｒ及び左アーム部３０Ｌは、中央部３１に対して左右対称な形状であり、かつ同じ長さをそれぞれ有している。右アーム部３０Ｒ及び左アーム部３０Ｌは、シェル１の軸線Ｃ１及び第２アーム５０の軸線Ｃ２を含む垂直面ＨＳに直交する打面ヘッド２の直径ＤＭと上側フープ４とが交差する２つの交点Ｐ，Ｑ付近にまでそれぞれ延びている。右アーム部３０Ｒ及び左アーム部３０Ｌの各端部には、上側フープ４を支持する第１支持部４０がそれぞれ固定されている。このため、各第１支持部４０は、打面ヘッド２の直径ＤＭと上側フープ４とが交差する２つの交点Ｐ，Ｑ付近にそれぞれ配置されている。一対の第１支持部４０は、シェル１の軸線Ｃ１に対し略対称となる位置に配置されている。各第１支持部４０は、交点Ｐ，Ｑと中央部３１との間において交点Ｐ，Ｑと近接する位置にそれぞれ配置されている。
【００４１】
図３及び図５に示すように、第１支持部４０は、ナット４１、ゴム製の台座４２、第１防振材料からなる防振ゴム４３、及び上下一対の取付ネジ４４，４５により構成されている。取付ネジ４４，４５は、インサート成形により、防振ゴム４３の上下各端面に固着されている。第１支持部４０は、下側の取付ネジ４５にナット４６を締め付けることで、右アーム部３０Ｒ及び左アーム部３０Ｌの各端部に固定されている。
【００４２】
ナット４１及び台座４２は、上側の取付ネジ４４が挿通される挿通孔４１ｃ，４２ｃをそれぞれ有している。ナット４１は、ゴム製の第１ナット部材４７と、金属製の第２ナット部材４８とにより構成されている。第２ナット部材４８は、第１ナット部材４７にインサート成形されている。ナット４１は、第２ナット部材４８を取付ネジ４４に螺着させて締め付けることにより、台座４２の上面に固定される。
【００４３】
台座４２は、基端部４２ａと、基端部４２ａよりも小さい外径を有する先端部４２ｂとを備えている。先端部４２ｂの外径は、上側フープ４に設けられたフープ孔４ｂの内径よりも小さく設定されている。上側フープ４と接する基端部４２ａの外周面は、球面形状を有している。台座４２は、挿通孔４２ｃに取付ネジ４４を挿通させて防振ゴム４３上に固着されている。この状態で、台座４２は、フープ孔４ｂの開口縁と線接触するように配置されている。
【００４４】
図５に示すように、第１支持部４０は、台座４２の先端部４２ｂをフープ孔４ｂに挿通させかつ取付ネジ４４にナット４１を取着することにより、上側フープ４に係合されている。こうして、タム支持装置１０は、一対の第１支持部４０の先端を上側フープ４に係合させることにより、上側フープ４を支持する。この状態で、第１支持部４０と上側フープ４との間には、防振ゴム４３が介在されている。このため、第１支持部４０は、防振ゴム４３によって、上側フープ４を弾性的に支持すると共に、打面ヘッド２から上側フープ４に伝達された振動を吸収する。
【００４５】
次に、第２アーム５０の構成について図１〜図４、図６（ａ）及び図６（ｂ）を参照して説明する。
図１及び図２に示すように、第２アーム５０は、シェル１の軸線Ｃ１に沿って延びるサポートアーム５１と、下側フープ５を支持する第２支持部５２とを備えている。サポートアーム５１は、断面Ｃ字状を有している。サポートアーム５１は、第１アーム３０と直交する方向に沿って直線状に延びている。
【００４６】
サポートアーム５１の上部は、ガイドブッシュ５３を介して、下側本体部２７の支持孔２７ａ内に支持されている。サポートアーム５１は、シェル１の軸線Ｃ１に沿って摺動可能である。サポートアーム５１は、ボルト２５を緩めることで、ブラケット２０に対し上下方向に移動可能となる。一方、サポートアーム５１は、ボルト２５を締め付けることで、図３に示す押え板２９を介してブラケット２０に固定される。つまり、第２アーム５０は、ボルト２５を操作してサポートアーム５１を移動させることで第２支持部５２の高さ位置を調節可能に構成されている。
【００４７】
また、サポートアーム５１の上端中央には、タムＴＭ側からねじ５４が固着されている。ねじ５４は、支持孔２７ａ内のガイドブッシュ５３の端面に当接されることで、サポートアーム５１の下方への移動を規制する。つまり、ねじ５４は、ボルト２５を緩めた状態でブラケット２０から抜け落ちないように、サポートアーム５１を保持する。
【００４８】
図３及び図４に示すように、第２支持部５２は、サポートアーム５１の下端に設けられている。第２支持部５２は、第２防振材料としてのゴムからなる調節ノブ５５と、調節ノブ５５にインサート成形されたボルト５６と、ブッシュナット５７と、キャップ５８とにより構成されている。
【００４９】
ブッシュナット５７の円筒部分は、サポートアーム５１の下端に設けられた固定孔５１ａに挿入されている。また、ブッシュナット５７の六角部分は、サポートアーム５１のＣ溝５１ｂに嵌め込まれている。このため、ブッシュナット５７は、サポートアーム５１の下端において回転しないように支持されている。
【００５０】
ボルト５６は、ブッシュナット５７に螺着された状態で、固定孔５１ａに挿入されている。キャップ５８は、サポートアーム５１の下端と共にブッシュナット５７及びボルト５６を覆うように装着されている。
【００５１】
調節ノブ５５は、操作時に把持される摘み部５５ａと、下側フープ５に当接される突出部５５ｂとを備えている。突出部５５ｂの外表面は、球面形状を有している。タム支持装置１０は、突出部５５ｂの先端を下側フープ５の周面に当接させることにより、下側フープ５を支持する。この状態では、第２支持部５２と下側フープ５との間に、調節ノブ５５が介在されている。このため、第２支持部５２は、調節ノブ５５の先端によって、下側フープ５を弾性的に支持すると共に、打面ヘッド２から下側フープ５に伝達された振動を吸収する。
【００５２】
図６（ａ）及び図６（ｂ）に示すように、第２支持部５２は、第２アーム５０の軸線Ｃ２と直交する前後方向に沿って進退可能である。即ち、調節ノブ５５を手で回してブッシュナット５７に螺着されたボルト５６を進退させることにより、突出部５５ｂをシェル１の軸線に向けて突出させたり、サポートアーム５１の下端付近に戻したりすることができる。
【００５３】
次に、タム支持装置１０の作用について、図１及び図４を参照して説明する。
まず、タム支持装置１０をタムＴＭに取り付ける。その際、図１に示すように、第１アーム３０をシェル１の周面に沿って配置し、一対の第１支持部４０を上側フープ４の対応するフープ孔４ｂに挿通させると共に、規制部材３５を上側フープ４のフープ孔４ａ付近に配置する。そして、一対の第１支持部４０を上側フープ４に係合させるため、各第１支持部４０の取付ネジ４４にナット４１をそれぞれ装着する。
【００５４】
次に、タム支持装置１０をタムホルダＴＨに取り付ける。その際、図１及び図４に示すように、ブラケット２０の挿通孔２６ａに、Ｌ字ロッドＬＲの先端部を挿通させる。そして、Ｔ型ボルト１３を手で回して、ブラケット２０をＬ字ロッドＬＲの先端部に固定する。
【００５５】
続いて、ボルト２５を操作して、ブラケット２０に対しサポートアーム５１を上下方向に移動させる。これにより、シェル１の深さに応じて、第２支持部５２と下側フープ５とが一致するように、第２支持部５２の高さ位置を調節する。
【００５６】
最後に、調節ノブ５５を手で回して、ブッシュナット５７に螺着されたボルト５６を進退させる。これにより、第１アーム３０と上側フープ４とが平行になるように、突出部５５ｂの突出量を調節する。こうして、タム支持装置１０をタムホルダＴＨに固定することで、タムＴＭがバスドラムの上方に設置される。
【００５７】
この状態で、図１に示すように、第１支持部４０は、打面ヘッド２の直径ＤＭと上側フープ４とが交差する２つの交点Ｐ，Ｑ付近にそれぞれ配置されている。この場合、第１アーム３０の各端部に設けられる一対の第１支持部４０が離れて配置されるため、上側フープ４の一箇所にタムＴＭの自重が集中することはない。また、複数の第１支持部４０が上側フープ４を支持すると共に第２支持部５２が下側フープ５を支持するため、第１及び第２支持部４０，５２等によりシェル１の振動が妨げられることもない。
【００５８】
従って、本実施形態によれば、以下のような効果を得ることができる。
（１）タム支持装置１０は、上側フープ４の２箇所と下側フープ５の１箇所とを支持するように構成されている。このため、第１及び第２支持部４０，５２等によりシェル１の振動が妨げられることはない。よって、シェル１の振動を最大限に引き出すことができ、タムＴＭ本来のサスティーンや音量を十分に得ることができる。また、第１支持部４０は、打面ヘッド２の直径ＤＭと上側フープ４とが交差する２つの交点Ｐ，Ｑ付近にそれぞれ配置されている。即ち、第１アーム３０の各端部に設けられる一対の第１支持部４０が離れて配置されるため、上側フープ４の一箇所にタムＴＭの自重が集中することはない。よって、タムＴＭを叩打したときの衝撃等による上側フープ４の歪みを抑制することができ、上側フープ４の歪みによるタムＴＭの音量や音質への影響を極力抑制することもできる。従って、タムＴＭの音量や音質が向上する。
【００５９】
（２）一対の第１支持部４０は、シェル１の軸線Ｃ１に対し略対称となる位置に配置されている。この場合、第１アーム３０の各端部に設けられる一対の第１支持部４０を最大限離れた位置に配置することができる。これにより、上側フープ４に作用するタムＴＭの自重を、効率良く分散させることができる。よって、タムＴＭを叩打したときの衝撃等による上側フープ４の歪みが一層抑制されるため、上側フープ４の歪みによるタムＴＭの音量や音質への影響を一層抑制することができる。
【００６０】
（３）タム支持装置１０は、第１支持部４０と上側フープ４との間に防振ゴム４３を介在させて、上側フープ４を支持する。また、タム支持装置１０は、第２支持部５２と下側フープ５との間に調節ノブ５５を介在させて、下側フープ５を支持する。この場合、防振材料からなる防振ゴム４３及び調節ノブ５５により、タムＴＭを叩打したときの衝撃による振動を吸収することができる。このため、タムＴＭの振動が上側及び下側フープ４，５及びブラケット２０を介してタムホルダＴＨに伝達されることを抑制することができる。
【００６１】
（４）タム支持装置１０は、一対の第１支持部４０の先端を上側フープ４に係合させることにより、上側フープ４を支持する。また、タム支持装置１０は、突出部５５ｂの先端を下側フープ５の周面に当接させることにより、下側フープ５を支持する。図４に示すように、タムＴＭは、シェル１の側方でブラケット２０を介してタムホルダに接続される。この場合、タムＴＭには、シェル１の上開口端をブラケット２０から離間させる向きにかつシェル１の下開口端をブラケット２０へ接近させる向きに回動する力が作用している。この点、上記構成によれば、上記の力関係を利用した構成であり、シェル１の上開口端に装着される上側フープ４には第１支持部４０を係合させるものの、シェル１の下開口端に装着される下側フープ５には第２支持部５２を当接させるだけである。これにより、タム支持装置１０の構成を簡素化することができる。
【００６２】
（５）第２支持部５２の高さ位置は、ボルト２５の操作により調節可能となっている。即ち、シェル１の深さ寸法に合わせて、サポートアーム５１をシェル１の軸線Ｃ１に沿って摺動させることで、第２支持部５２の高さ位置を調節することができる。これにより、種々の大きさのタムＴＭに対して対応することができる。
【００６３】
（６）第２支持部５２は、第２アーム５０の軸線Ｃ２と直交する前後方向に沿って進退可能である。このため、シェル１の軸線Ｃ１に向けて突出する第２支持部５２の突出量を調節することができる。これにより、上側フープ４と第１アーム３０との間に介装される防振ゴム４３の潰れを抑えることができる。よって、防振ゴム４３の潰れによるタムＴＭの音量や音質への影響を抑制することもできる。また、この場合、防振ゴム４３の潰れが抑えられるため、防振ゴム４３に低硬度の材料を使用することができる。このため、防振ゴム４３の防振機能が向上する。
【００６４】
（７）演奏時にタムＴＭが揺れたり、タムホルダＴＨからタムＴＭを外したりするとき、上側フープ４と第１アーム３０とが接触する虞がある。この点、本発明によれば、第１アーム３０の中央部３１には、上側フープ４と第１アーム３０との接触を規制する規制部材３５が設けられている。このため、規制部材３５により、第１アーム３０と上側フープ４とが接触して音が発生したり、傷が付いたりすることを防止できる。また、規制部材３５を有することで、防振ゴム４３には更に低硬度の材料を使用することができる。このため、防振ゴム４３の防振機能が更に向上する。
【００６５】
なお、本実施形態は、以下のように変更してもよい。
・本実施形態において、ナット４１の構成を、以下のように変更してもよい。例えば、図７（ａ）〜図７（ｃ）に示すように、ゴム製のナット部材１４７と、ナット部材１４７にインサート成形されたクリップ１４８とにより、ナット１４１を形成してもよい。この場合、クリップ１４８の外側面には、ナット部材１４７に内側から嵌着される突条１４８ａが形成されている。また、クリップ１４８の先端には、上側の取付具１４４を把持する爪部１４８ｂが形成されている。取付具１４４の周面には、爪部１４８ｂが嵌め込まれる溝１４４ａが形成されている。本実施形態とは異なり、取付具１４４の外周面には、雄ネジが形成されていない。
【００６６】
次に、ナット１４１を取付具１４４に装着する際の操作について説明する。
図７（ａ）に示すように、まず、ナット１４１の開口端付近に、取付具１４４の先端を配置する。次に、図７（ｂ）に示すように、ナット１４１の外側からクリップ１４８の基端を手で摘むことにより、クリップ１４８の先端を開く。続いて、取付具１４４を、クリップ１４８の先端からナット１４１の内側へと挿入する。そして、図７（ｃ）に示すように、取付具１４４をナット１４１内に挿入した後、クリップ１４８の先端を閉じて、爪部１４８ｂを、取付具１４４の溝１４４ａに嵌め込む。尚、ナット１４１を取付具１４４から取り外す際は、上記一連の操作と逆の操作を行えばよい。
【００６７】
・本実施形態において、第１アーム３０を構成する右アーム部３０Ｒ及び左アーム部３０Ｌは、中央部３１に対して左右対称な形状であり、かつ同じ長さをそれぞれ有していたが、タムＴＭのテンションボルトの数によっては、右アーム部３０Ｒ及び左アーム部３０Ｌは、中央部３１に対して左右非対称であってもよく、それに応じて異なる長さをそれぞれ有していてもよい。この場合、右アーム部３０Ｒ及び左アーム部３０Ｌは、シェル１の軸線Ｃ１及び第１アーム３０の長手方向の中点を含む垂直面ＨＳに直交する打面ヘッド２の直径ＤＭと上側フープ４とが交差する２つの交点Ｐ，Ｑ付近にまでそれぞれ延びている。このため、第１アーム３０の各端部に設けられる一対の第１支持部４０を、シェル１の軸線Ｃ１及び第１アーム３０の長手方向の中点を含む垂直面ＨＳに直交する打面ヘッド２の直径ＤＭと上側フープ４とが交差する２つの交点Ｐ，Ｑ付近にそれぞれ配置することができる。この構成によれば、本実施形態と同様に、第１アーム３０の各端部に設けられる一対の第１支持部４０を極力離れた位置に配置することができるため、上側フープ４に作用するタムＴＭの自重を効率良く分散させることができる。
【００６８】
・本実施形態において、第１支持部４０により下側フープ５を支持しかつ第２支持部５２により上側フープ４を支持するように、タム支持装置１０を構成してもよい。この場合、第１ドラムヘッドが裏面ヘッドであり、第２ドラムヘッドが打面ヘッドである。
【００６９】
・本実施形態において、第１支持部４０の数を３以上に変更してもよい。この場合、第１支持部４０は、第１アーム３０の各端部の他に、第１アーム３０の各端部と中央部３１との間に設けられる。
【００７０】
・本実施形態において、第１支持部４０からナット４１を省略してもよい。この場合、タム支持装置１０をタムＴＭに取り付ける際に、第１支持部４０を上側フープ４の対応するフープ孔４ｂに挿通させるだけでよい。
【００７１】
・本実施形態において、タムＴＭが設置される設置物は、バスドラム以外に、シンバルスタンド、又は専用のタムスタンドであってもよい。
・本実施形態において、第１アーム３０の各端部に設けられる一対の第１支持部４０は、打面ヘッド２の直径ＤＭと上側フープ４とが交差する２つの交点Ｐ，Ｑ付近であれば、対称な位置でなくてもよい。
【００７２】
・本実施形態において、防振ゴム４３及び調節ノブ５５を形成する防振材料として、ゴム以外に、例えば、ウレタンやスポンジ等を用いてもよい。また、防振ゴム４３を省略してもよい。また、調節ノブ５５を、防振材料以外の他の材料により形成してもよい。
【００７３】
・本実施形態において、第２支持部５２も、第１支持部４０と同様に、第２支持部５２の先端を下側フープ５に係合させて、下側フープ５を支持してもよい。
・本実施形態において、第２支持部５２の高さ位置を調整するための構成を、以下のように変更してもよい。例えば、サポートアーム５１の軸線に沿って複数の取付孔を形成し、ブラケット２０に対するサポートアーム５１の取付位置を段階的に変更して、第２支持部５２の高さ位置を調整してもよい。
【００７４】
・本実施形態において、タム支持装置１０から、第２支持部５２の高さ位置を変更するための構成を省略してもよい。
・本実施形態において、規制部材３５の数を２以上に変更してもよい。また、タム支持装置１０から、規制部材３５を省略してもよい。また、タム支持装置１０から規制部材３５を省略する代りに、第１アーム３０の配置位置に応じて、上側フープ４又は下側フープ５に規制部材３５を設けてもよい。
【００７５】
・本実施形態において、規制部材３５の位置は、第１アーム３０の中央以外でもよく、第１アームの円周方向の各端部を除く任意の位置に設定してもよい。
・本実施形態において、タム支持装置を、例えばスネアドラム等のタム以外のドラムを支持する支持装置に変更してもよい。
【符号の説明】
【００７６】
ＴＭ…タム（ドラム）、Ｃ１…シェルの軸線、Ｃ２…第２アームの軸線、ＨＳ…垂直面（面）、ＤＭ…打面ヘッドの直径、Ｐ，Ｑ…交点、１…シェル、２…打面ヘッド（第１ドラムヘッド）、３…裏面ヘッド（第２ドラムヘッド）、４…上側フープ（第１フープ）、５…下側フープ（第２フープ）、１０…タム支持装置（ドラムの支持装置）、２０…ブラケット、３０…第１アーム、３５…規制部材、４０…第１支持部、４３…防振ゴム（第１防振材料）５０…第２アーム、５２…第２支持部、５５…調節ノブ（第２防振材料）。
【図１】
2014025977.tif 000003
【図２】
2014025977.tif 000004
【図３】
2014025977.tif 000005
【図４】
2014025977.tif 000006
【図５】
2014025977.tif 000007
【図６】
2014025977.tif 000008
【図７】
2014025977.tif 000009